(57)【要約】【課題】点灯装置の温度上昇を抑制することにより照明器具の小形化を図り、かつ意匠性を向上させることができる照明器具を提供する。【解決手段】照明器具１は、蛍光ランプ３が配設されるランプ収容部２ａと、点灯装置４を収納する点灯装置収納部２ｂと、蛍光ランプ３から放射される光を出射する開口部２ｃとを有し、少なくとも点灯装置収納部２ｂの長手方向の一側外面に複数の凸部２ｄからなる放熱手段を備える器具本体２と、点灯装置収納部２ｂに収納される点灯装置４とを具備する。【選択図】図１
2006236781.tif 000002
【特許請求の範囲】
【請求項１】
ランプが配設されるランプ収容部と、点灯装置を収納する点灯装置収納部と、ランプから放射される光を出射する開口部とを有し、少なくとも点灯装置収納部の長手方向の一側外面に複数の凸部からなる放熱手段を備える器具本体と；
点灯装置収納部に収納される点灯装置と；
を具備することを特徴とする照明器具。
【請求項２】
器具本体は、点灯装置収納部上の部分の外面に形成された凹部を有しており、凹部は照明器具を支持する照明器具支持部材と嵌合可能となっていることを特徴とする請求項１記載の照明器具。
【請求項３】
器具本体は多角形状に形成されており、器具本体の中央は開口していることを特徴とする請求項１又は２記載の照明器具。
【発明の詳細な説明】
【技術分野】
【０００１】
本発明は、照明器具に関する。
【背景技術】
【０００２】
従来から、工場等の天井の高い建物では、照明器具を所望の高さで取付けるために、金属ダクトやライティングダクト等を用いる場合がある。このような金属ダクトやライティングダクト等に取付けられる照明器具としては、例えば、特許文献１等が知られている。
【特許文献１】特開２００４−１１１２８１号公報
【発明の開示】
【発明が解決しようとする課題】
【０００３】
しかしながら、従来の照明器具は、ランプの直上であって、かつ、器具本体内にランプを点灯させる安定器からなる点灯装置が配設されており、この点灯装置は反射板によって覆われて外部から見えないようになっているものであるので、金属ダクトから突出する照明器具の幅寸法が大きくなってしまうものであった。
【０００４】
すなわち、従来の照明器具は、点灯装置収納部の空間を大きくして、点灯装置と器具本体との隙間を大きくすることで、点灯装置収納部内に収納される点灯装置から放出される熱を器具本体内にこもり難くして、点灯装置の温度上昇による点灯装置を構成している電子部品の短寿命化、更には点灯装置の短寿命化を抑制している。また、ランプは、できるだけ露出するように設けることで直上にある点灯装置へのランプによる熱の影響を与えないようになっているものである。したがって、器具本体の上下方向及び横方向における幅寸法が大きくなるために照明器具が必然的に大形化してしまうものであるとともに、ランプが比較的露出して配設されることも多かったため、デザインの自由度が制限されることがあった。
【０００５】
本発明は、上記課題を解決するためになされたものである。即ち、本発明は、点灯装置の温度上昇を抑制することにより照明器具の小形化を図り、かつ意匠性を向上させることができる照明器具を提供することを目的とする。
【課題を解決するための手段】
【０００６】
請求項１記載の発明は、ランプが配設されるランプ収容部と、点灯装置を収納する点灯装置収納部と、ランプから放射される光を出射する開口部とを有し、少なくとも点灯装置収納部の長手方向の一側外面に複数の凸部からなる放熱手段を備える器具本体と；点灯装置収納部に収納される点灯装置と；を具備することを特徴とする照明器具である。
【０００７】
ランプの形状は、例えば、四角形状、三角形状等の多角形状、円環状、直管状であってもよい。また、ランプの発光管は２重管形や複数管形であってもよい。器具外郭の形状は、例えば、四角形状、三角形状等の多角形状、円環状、直管状であってもよい。
【０００８】
凸部は、少なくとも点灯装置収納部の長手方向の一側外面に形成されていればよく、点灯装置収納部の両側面の外面に形成されていてもよい。また、凸部の形状は、凸形状、三角形状等でもよく、要するに点灯装置収納部と対向する器具本体の外側面の表面積が、平板形状である場合よりも大きくなる構成であればよい。
【０００９】
請求項１記載の発明によれば、放熱手段により点灯装置の温度上昇が抑制できるので、点灯装置収納部の省スペース化が可能となり、これにより器具本体を小形化することができる。また、ランプを器具本体内に配置できるので、ランプが露出配置することなく、意匠性を向上させることができる。
【００１０】
請求項２記載の発明は、器具本体が、点灯装置収納部上の部分の外面に形成された凹部を有しており、凹部は照明器具を支持する照明器具支持部材と嵌合可能となっていることを特徴とする請求項１記載の照明器具である。照明器具支持部材としては、例えば、金属ダクトやライティングダクト等が挙げられる。
【００１１】
請求項２記載の発明によれば、凹部が照明器具を支持する照明器具支持部材と嵌合可能となっているので、照明器具支持部材と器具本体との接触面積を拡大させることができる。これにより、点灯装置周辺の熱が器具本体を介して照明器具支持部材により伝えられるので、点灯装置の温度上昇をより抑制できる。
【００１２】
請求項３記載の発明によれば、器具本体は多角形状に形成されており、器具本体の中央は開口していることを特徴とする請求項１又は２記載の照明器具である。請求項３記載の発明によれば、器具本体の中央が開口しているので、器具本体が多角形状であっても内周側を利用して放熱させることができ、これにより点灯装置の温度上昇をより抑制できる。
【発明の効果】
【００１３】
請求項１記載の発明によれば、点灯収納部の空間を大きくしなくとも点灯装置の温度上昇が抑制できるので、器具本体を小形化することができる。また、ランプが露出配置されないので、意匠性を向上させることができる。請求項２記載の発明によれば、点灯装置周辺の熱が器具本体を介して照明器具支持部材により伝えられるので、点灯装置の温度上昇をより抑制できる。請求項３記載の発明によれば、器具本体が多角形状であっても内周側を利用して放熱させることができるので、点灯装置の温度上昇をより抑制できる。
【発明を実施するための最良の形態】
【００１４】
（第１の実施の形態）
以下、図面を参照しながら第１の実施の形態について説明する。図１は本実施の形態に係る照明器具の模式的な斜視図であり、図２は本実施の形態に係る照明器具の模式的な垂直断面図であり、図３は本実施の形態に係るバッフルの模式的な平面図である。
【００１５】
図１及び図２に示されるように、照明器具１は、金属ダクトやライティングダクトに取付けられている。本実施の形態では、照明器具１を金属ダクトＤに取付けた場合について説明する。
【００１６】
照明器具１は、照明器具１の外郭を成す器具本体２等から構成されている。器具本体２は四角形状に形成されており、器具本体２の中央は開口している。即ち、器具本体２は、枠状に形成されている。器具本体２は、後述する蛍光ランプ３を収容するランプ収容部２ａと、後述する点灯装置４を収容する点灯装置収納部２ｂを内部に有しており、器具本体２の下部には、蛍光ランプ３から放射される光を出射する開口部２ｃが形成されている。
【００１７】
器具本体２は、ボルト（図示せず）及びナット（図示せず）によって金属ダクトＤに取付けられている。具体的には、金属ダクトＤからボルトが突出しているとともに器具本体２にはボルト挿入孔が形成されており、ボルトを器具本体２のボルト挿入孔に挿入してボルトにナットを螺合させることにより、器具本体２が金属ダクトＤに取付けられる。
【００１８】
器具本体２のランプ収容部２ａには、ランプが配置されている。本実施の形態では、ランプとして、四角形状の大小２本の蛍光ランプ３を使用した例について説明する。器具本体２の点灯装置収納部２ｂには、電子部品等から構成された安定器からなる点灯装置４が収納されている。点灯装置４は蛍光ランプ３の直上に配置されている。点灯装置４は、器具本体２の内側上面に取付けられている。点灯装置４の下面には、蛍光ランプ３の光を反射させて、光を開口部２ｃに導く反射板６が取付けられている。
【００１９】
また、点灯装置４の下面には、ランプソケット（図示せず）及びランプホルダ（図示せず）が取付けられており、ランプソケットに蛍光ランプ３を装着することにより、蛍光ランプ３に電力が供給されて、蛍光ランプ３が点灯する。また、ランプホルダに蛍光ランプ３を保持させることにより、蛍光ランプ３が器具本体２に支持される。
【００２０】
器具本体２は、少なくとも点灯装置収納部２ｂの長手方向の一側外面に複数の凸部２ｄからなる放熱手段を備えている。本実施の形態では、器具本体２の内周側及び外周側のそれぞれの外面に点灯装置収納部２ｂの長手方向に沿って複数の凸部２ｄが形成されている。器具本体２はアルミニウムから構成されており、凸部２ｄは器具本体２と一体的に形成されている。器具本体２と点灯装置４との間は、約１ｃｍ離れている。
【００２１】
器具本体２の開口縁部には、装飾及び遮光するためのバッフル７が取付けられている。バッフル７は、四角形状のバッフル枠７ａと、バッフル枠７ａの各辺に形成され、バッフル枠７ａと一体的に形成されたバッフル板７ｂとから構成されている。バッフル板７ｂは、連続的かつ追廻方向に形成されている。バッフル板７ｂは、両端部がバッフル枠７ａに支持されており、照明器具１の下方に向けて折り曲げられている。なお、バッフル板７ｂは、照明器具１の下方に向けて折り曲げられているので、バッフル７の裏面側にアクリルカバー等を配置させることも可能である。
【００２２】
本実施の形態では、少なくとも点灯装置収納部２ｂの長手方向の一側外面に複数の凸部２ｄが形成されているので、点灯装置４周辺の放熱効果を向上させることができ、点灯装置４の温度上昇を抑制できる。これにより、点灯装置収納部２ｂの省スペース化が可能となるので、器具本体２を小形化することができる。なお、本実施の形態では、器具本体２の内周側及び外周側のそれぞれの外面に凸部２ｄが形成されているので、より放熱効果を向上させることができる。
【００２３】
本実施の形態では、蛍光ランプ３を器具本体２内に配置しているので、意匠性を向上させることができ、また当該照明器具１を敷設する空間のデザインの自由度を高めることができる。
【００２４】
本実施の形態では、器具本体２が四角形状に形成されており、器具本体２の中央が開口しているので、器具本体２が四角形状であっても内周側を利用して放熱させることができ、これにより点灯装置４の温度上昇をより抑制できる。
【００２５】
本実施の形態では、バッフル７が四角形状に形成されているので、施工性を改善することができる。即ち、蛍光ランプ３を交換する際に、バッフル７を器具本体２に対して着脱する必要があるが、従来においては、蛍光ランプが例えば四角形状の場合、蛍光ランプの直管部毎にバッフルが設けられていたため、それぞれのバッフルを着脱しなければならず、施工に多大な時間を要していた。これに対し、本実施の形態では、バッフル７が四角形状に形成されているので、１つのバッフル７を着脱するだけで、施工が完了する。これにより、施工性が改善される。
【００２６】
本実施の形態では、バッフル枠７ａとバッフル板７ｂが一体的に形成されているので、低コストでバッフル７を製造することができる。即ち、従来においては、バッフル板は、バッフル枠に溶接或いはカシメ等により固定されていたため、非常に高コストとなっていた。これに対し、本実施の形態では、バッフル枠７ａとバッフル板７ｂが一体的に形成されているので、材料取りに優れ、低コストでバッフル７を製造することができる。
【００２７】
（第２の実施の形態）
以下、図面を参照しながら第２の実施の形態を説明する。なお、上記第１の実施の形態で説明した内容と重複する説明については、省略することもある。本実施の形態では、照明器具として、直線状の照明器具を用いた例について説明する。図４は本実施の形態に係る照明器具の模式的な斜視図であり、図５は本実施の形態に係る照明器具の模式的な垂直断面図である。
【００２８】
図４及び図５に示されるように、器具本体２は直線状に形成されており、器具本体２内には、ランプ収容部２ａに直管状の蛍光ランプ３が配置されている。器具本体２は、第１の実施の形態と同様に少なくとも点灯装置収納部２ｂの長手方向の一側外面に複数の凸部２ｄが形成されている。本実施の形態では、器具本体２の内周側及び外周側のそれぞれの外面に点灯装置収納部２ｂの長手方向に沿って複数の凸部２ｄが形成されている。
【００２９】
器具本体２は、点灯装置４上の部分の外面に形成された凹部２ｅを有しており、凹部２ｅは金属ダクトＤと嵌合されている。本実施の形態では、凹部２ｅは、器具本体２の上部外面であって上方に向けて２箇所から突出したリブ２ｆから構成されている。リブ２ｆは、器具本体２と一体的に形成されている。
【００３０】
本実施の形態では、少なくとも点灯装置収納部２ｂの長手方向の一側外面に複数の凸部２ｄが形成されているので、第１の実施の形態と同様の効果が得られる。
【００３１】
本実施の形態では、器具本体２は、点灯装置収納部２ｂ上の部分の外面に形成された凹部２ｅを有しており、凹部２ｅは金属ダクトＤと嵌合可能となっているので、器具本体２と金属ダクトＤとの接触面積を拡大させることができる。これにより、点灯装置４周辺の熱が器具本体２を介して金属ダクトＤにより伝えられるので、点灯装置４の温度上昇をより抑制できる。
【００３２】
なお、本発明は上記実施の形態の記載内容に限定されるものではなく、構造や材質、各部材の配置等は、本発明の要旨を逸脱しない範囲で適宜変更可能である。例えば、第１の実施の形態では、第２の実施形態のように器具本体２の上部外面に凹部２ｅを形成していないが、凹部２ｅを形成してもよい。
【図面の簡単な説明】
【００３３】
【図１】第１の実施の形態に係る照明器具の模式的な斜視図である。
【図２】第１の実施の形態に係る照明器具の模式的な垂直断面図である。
【図３】第１の実施の形態に係るバッフルの模式的な平面図である。
【図４】第２の実施の形態に係る照明器具の模式的な斜視図である。
【図５】第２の実施の形態に係る照明器具の模式的な垂直断面図である。
【符号の説明】
【００３４】
１…照明器具、２…器具本体、２ａ…ランプ収容部、２ｂ…点灯装置収納部、２ｃ…開口部、２ｄ…凸部、２ｅ…凹部、３…蛍光ランプ、４…点灯装置。
【図１】
2006236781.tif 000003
【図２】
2006236781.tif 000004
【図３】
2006236781.tif 000005
【図４】
2006236781.tif 000006
【図５】
2006236781.tif 000007